(57)【要約】【課題】衛生的で、手にとげが刺さることなく安全に使用できると共に、持ち姿の向上が可能となる割り箸を提供する。【解決手段】互いに平行に配置された左右一対の箸部からなる割り箸であって、前記一対の箸部は、互いの箸部の長手方向の一部が連結部を介して連結されており、前記割り箸は、それぞれの箸部の持ち手側の端部である基端部と、口に挿入する側の端部である先端部とを有し、前記連結部は、前記割り箸の長手方向の中央よりも先端部側であって、先端部から３．０ｃｍ以上基端部側の範囲に設けられており、前記、連結部の長手方向の長さが２．５ｃｍ以上７．０ｃｍ以下である割り箸。【選択図】図１
2014230657.tif 000002
【特許請求の範囲】
【請求項１】
互いに平行に配置された左右一対の箸部からなる割り箸であって、
前記一対の箸部は、互いの箸部の長手方向の一部が連結部を介して連結されており、
前記割り箸は、それぞれの箸部の持ち手側の端部である基端部と、口に挿入する側の端部である先端部とを有し、
前記連結部は、前記割り箸の長手方向の中央よりも先端部側であって、先端部から３ｃｍ以上基端部側の範囲に設けられており、
前記、連結部の長手方向の長さが２．５ｃｍ以上７．０ｃｍ以下である割り箸。
【請求項２】
前記連結部の長手方向の長さが３．５ｃｍ以上４．０ｃｍ以下である請求項１記載の割り箸。
【発明の詳細な説明】
【技術分野】
【０００１】
本発明は、割り箸に関するものである。
【背景技術】
【０００２】
従来より、左右一対の箸部からなる割り箸は、割り箸の箸部の基端（持ち手側の端）近傍が連結され、先端側（口に挿入する側）に切込みを入れることによって割目を備えている割り箸が知られている（例えば、特許文献１及び２）。
【先行技術文献】
【特許文献】
【０００３】
【特許文献１】実開昭６０−１７０１７５号公報
【特許文献１】特開２００９−６１０６５号公報
【発明の概要】
【発明が解決しようとする課題】
【０００４】
しかしながら、このような割り箸では、基端近傍が連結されているため、食す際に口に入れる左右の箸部の先端側をそれぞれ手で持ち、割り箸を二つに割ってから使用するので衛生的ではなかった。また、割り箸が連結されている連結部は、割り箸を割った際にとげが生じやすい。しかし、従来の割り箸では、持ち手側の基端近傍に連結部が存在するため、割り箸を使用する際、手にとげが刺さる危険性があった。さらに、割り箸の使用者は、その危険性を回避すべく連結部近傍を持たずに割り箸を使用しようとする傾向があり、必然的に割り箸の中央付近を持って食すので、割り箸の持ち姿が美しくなかった。
【０００５】
本発明は上記課題に鑑みてなされたものであって、その目的とするところは、衛生的で、手にとげが刺さることなく安全に使用できる割り箸であって、持ち姿の向上が可能となる割り箸を提供することにある。
【課題を解決するための手段】
【０００６】
前記した目的を達成するために、本発明に係る割り箸は、互いに平行に配置された左右一対の箸部からなる割り箸であって、前記一対の箸部は、互いの箸部の長手方向の一部が連結部を介して連結されており、前記割り箸は、箸部の持ち手側の端部である基端部と、口に挿入する側の端部である先端部とを有し、前記連結部は、前記割り箸の長手方向の中央よりも先端部側であって、先端部から３．０ｃｍ以上基端部側の範囲に設けられており、前記連結部の長手方向の長さが２．５ｃｍ以上７．０ｃｍ以下である。
【０００７】
また、前記連結部の長手方向の長さが３．５ｃｍ以上４．０ｃｍ以下であることが好ましい。
【発明の効果】
【０００８】
このように、本発明に係る割り箸によれば、衛生的で、とげが手等に刺さることなく安全に使用でき、また、割り箸の持ち姿の向上が可能となる。
【図面の簡単な説明】
【０００９】
【図１】本発明の一実施形態に係る割り箸の正面図である。
【図２】本発明の一実施形態に係る割り箸の背面図である。
【図３】本発明の一実施形態に係る割り箸の斜視図である。
【図４】本発明の一実施形態に係る割り箸の右側面図である。
【図５】本発明の一実施形態に係る割り箸の平面図である。
【図６】本発明の一実施形態に係る割り箸の底面図である。
【図７】図１のａ部分の拡大図である。
【図８】図７のＡ−Ａ断面図である。
【図９】本発明の一実施形態に係る割り箸を割った状態を示す参考斜視図である。
【発明を実施するための形態】
【００１０】
以下、本発明に係る実施形態を図面に従って説明するが、本発明はこの実施形態に限定されるものではない。
【００１１】
図１は、本発明の一実施形態に係る割り箸１の正面図、図２は背面図、図３は斜視図、図４は右側面図、図５は平面図、図６は底面図である。
【００１２】
本明細書において割り箸１の箸部２の持ち手側の端部を基端部２１といい、口に挿入する側の端部を先端部２２という。また、基端部２１から先端部２２方向を長手方向Ｈといい、長手方向Ｈと直交し左右の箸部２が連結されている方向を幅方向Ｗといい、長手方向Ｈと幅方向Ｗとに直交する方向を奥行方向Ｄという。
【００１３】
この割り箸１は、互いに平行に配置された左右一対の箸部２からなる割り箸１である。この左右一対の箸部２は、互いの箸部２の長手方向Ｈの一部が連結部３を介して連結されている。
【００１４】
割り箸１の形状は、例えば、左右それぞれの箸部２の角部を面取りすることで、幅方向Ｗの断面が、八角形が左右に二つ並んだ形状となるため、まるで元禄模様に見えることから「元禄箸」と呼ばれている割り箸１、左右の箸部２が連結された状態の割り箸１の四方の角を面取りすることで、基端側から見ると小判形状をしているため「小判箸」と呼ばれている割り箸１、左右の箸部２の長手方向Ｈ略中央の幅方向Ｗを長くし、箸部２の両端にかけて徐々に幅方向Ｗの長さを短く形成しているいわゆる「利休箸」、箸部２の面取りがされておらず、切込み２３のみ有するいわゆる「頂六箸」など、連結部３を有する種々の割り箸１の形状とすることができる。
【００１５】
本実施形態の割り箸１は、図１、図２及び図３に示すように、左右の外側面に先端部２２側に向けて勾配を設けた先細形状の割り箸１である。割り箸１は、連結部３を除く部分に、割り箸１の幅方向Ｗ略中央を通り、長手方向Ｈに延びる切込み２３を設けることで、互いの箸部２の長手方向Ｈの一部が連結部３を介して連結されている。また、図３及び図４に示すように、割り箸１の左右の箸部２の上面側基端部２１近傍から基端部２１に向けて斜めに削ぎ落された天削げ部２４が形成されている。
【００１６】
図５及び図６に示すように、左右のそれぞれの箸部２の四方の角部が全長に亘ってアール状に面取りされることにより面取り部２５が形成されている。
【００１７】
図７は連結部３近傍（図１のａ部分）の拡大図であり、図８は図７のＡ−Ａ断面図である。図８に示すように、割り箸１の幅方向略中央には、左右の箸部２の面取り部２５と連結部３とからなる略Ｖ字形状の溝２６が、長手方向Ｈに向けて、連結部３の上面側と下面側のそれぞれに形成される。この溝２６が形成されることにより、割り箸１を割る際、略Ｖ字形状の溝２６に案内され、割り箸１が斜めに割れることを防止することができる。
【００１８】
また、溝２６が形成されていることで、図８に示すように連結部３の幅方向Ｗの略中央の奥行方向Ｄの連結部長さＤＲが、箸部２の奥行方向Ｄの長さと比べて短く形成されるので、連結部３を容易に割ることができる。
【００１９】
連結部３は、図１に示すように、割り箸１の長手方向Ｈの中央よりも先端部２２側であって、先端部２２から３．０ｃｍ以上基端部２１側の範囲に設けられている。また、連結部３は、割り箸１の長手方向Ｈの中央よりも先端部２２側であって、先端部２２から５．０ｃｍ以上基端部２１側の範囲に設けられていれば、割り箸１を割った際に発生したとげによって、口内や唇等をより傷つけることなく安全に使用することができるのでさらに好ましい。
【００２０】
連結部３の長手方向Ｈの長さは、２．５ｃｍ以上７．０ｃｍ以下であることが好ましく、連結部３の長手方向Ｈの長さは、３．５ｃｍ以上４．０ｃｍ以下であることがさらに好ましい。連結部３の長手方向Ｈの長さがこのような長さであれば、割り箸１を割るとき容易に割ることができると共に、意図せずに割り箸１が割れることがない。
【００２１】
割り箸１は、例えば、まず、割り箸１を適宜の形状に裁断する。次に、適宜の形状に裁断された割り箸１を、載置台の上下方向に可動可能な丸鋸を備えた載置台に適宜配置し、載置台の上方に突設した丸鋸によって、基端部２１から先端部２２に向かって、幅方向Ｗ略中央部分を長手方向Ｈに向けて切断していき基端部２１側の切込み２３を形成する。次に、割り箸１の連結部３が形成される位置に割り箸１が到達したとき、丸鋸が載置台の下方に移動し、割り箸１が切断されずに連結部３が形成される。次に、適宜の連結部３が形成されれば、再度丸鋸が載置台の上方に突設され先端部２２側の切込み２３を形成する。なお、先端部２２側から基端部２１側に向かって切込み２３を形成することとしてもよい。次に、割り箸１の左右の箸部２の四方の角部を全長に亘って面取りし、面取り部２５を形成することによって、連結部３に幅方向Ｗ略中央を通り、長手方向Ｈに延びる略Ｖ字形状の溝２６が形成される。なお、箸部２の面取りは、丸鋸によって切込み２３を入れる前に行っても良い。また、天削げ部２４を有する割り箸１の場合は、天削げ部２４を形成する。割り箸１の製造方法は、上述した製造方法に限られず、種々の割り箸製造機によって製造することができる。
【００２２】
割り箸１の材質としては、例えば、杉、檜、エゾ松、白樺、アスペン等の木材、又は竹材を使用することができるが、本実施形態では、耐久性が高く、体裁よく割ることができる竹材を使用している。
【００２３】
上述した連結部３の構成にすれば、連結部３の位置は割り箸１の長手方向Ｈの中央よりも先端部２２寄りに位置することとなる（図９参照）。また、一般的な割り箸１の長手方向Ｈの長さが略２１．０ｃｍ又略２４．０ｃｍであることを鑑みれば、割り箸１の基端部２１側の切込み２３の長さは割り箸１の長手方向Ｈの長さの半分以上を占め、先端部２２側の切込み２３の長さは、基端部２１側の切込み２３の長さに比べて視覚的に明らかに短くなる（図１参照）。よって、割り箸１を使用する者は、てこの原理に基づいてより弱い力で割ることが可能な基端部２１側近傍の左右の箸部２を手で持ち、割り箸１を割ることとなる。そのため、口に挿入する側の先端部２２側を手で触ることなく割り箸１を割るので、非常に衛生的に使用することができる。
【００２４】
また、連結部３が上述した割り箸１の長手方向Ｈの範囲に形成されることで、割り箸１を割った際に連結部３にとげが発生したとしても、通常の箸の持ち方をすれば、手にとげが刺さることなく、また、食する際に口内や唇等にとげが刺さることなく安全に割り箸１を使用することができる。
【００２５】
さらに、割り箸１の使用者は、連結部３に発生したとげが手に刺さることを回避しようとするため、割り箸１の基端部２１側寄りを持って食するので、自然に持ち姿が美しくなり、本発明に係る割り箸１を使用すれば、割り箸１の持ち姿の向上が可能となる。
【００２６】
以上のとおり、図面を参照しながら本発明の好適な実施形態を説明したが、本発明の趣旨を逸脱しない範囲内で、種々の追加、変更または削除が可能である。したがって、そのようなものも本発明の範囲内に含まれる。
【符号の説明】
【００２７】
１    割り箸
２    箸部
２１  基端部
２２  先端部
２３  切込み
２４  天削げ部
２５  面取り部
２６  溝
３    連結部
Ｈ    長手方向
Ｗ    幅方向
Ｄ    奥行方向
ＤＲ  連結部長さ
【図１】
2014230657.tif 000003
【図２】
2014230657.tif 000004
【図３】
2014230657.tif 000005
【図４】
2014230657.tif 000006
【図５】
2014230657.tif 000007
【図６】
2014230657.tif 000008
【図７】
2014230657.tif 000009
【図８】
2014230657.tif 000010
【図９】
2014230657.tif 000011